(57)【要約】【課題】  ゴム手袋本来の屈伸性を維持しつつ、優れた洗浄効果を確保し得るゴム手袋を提供する。【解決手段】  ゴム製の手袋本体１の両表面１１ａ，１１ｂの少なくとも一方の表面に板状のスポンジ２を固着するとともに、スポンジ２には、手指の曲がり方向に沿って延びる溝３，４を設ける。係る構成によれば、例えスポンジ２が比較的硬質の素材で構成されていても、これを溝３，４の部分で容易に屈伸させることができ、このゴム手袋の使用者は、スポンジ２を介在させたまま被洗物を確実に把持することができ、洗い作業の確実性及び容易性が向上し、延いては使い勝手の良いゴム手袋を提供できる。また、スポンジ２を比較的硬質の素材で構成することで、該スポンジ２による擦り落とし作用が良好となり、洗浄効果の高いゴム手袋を提供できる。【選択図】        図１
2005281949.tif 000002
【特許請求の範囲】
【請求項１】
ゴム製の手袋本体（１）の両表面（１１ａ），（１１ｂ）の少なくとも一方の表面に板状のスポンジ（２）が固着されるとともに、上記スポンジ（２）には、手指の曲がり方向に沿って延びる溝（３），（４）が設けられていることを特徴とするゴム手袋。
【請求項２】
ゴム製の手袋本体（１）の両表面（１１ａ），（１１ｂ）の少なくとも一方の表面に板状のスポンジ（２）が固着されるとともに、上記手袋本体（１）が、親指に対応する第１袋部（１１Ａ）と、親指以外の他の指に対応する第２袋部（１１Ｂ）を備えた構成であることを特徴とするゴム手袋。
【請求項３】
ゴム製の手袋本体（１）の両表面（１１ａ），（１１ｂ）の少なくとも一方の表面に板状のスポンジ（２）が固着されるとともに、上記手袋本体（１）が、親指に対応する第１袋部（１１Ａ）を左右両側にそれぞれ備えるとともに、該各第１袋部（１１Ａ）、（１１Ａ）の間に親指以外の他の指に対応する第２袋部（１１Ｂ）を備えた構成であることを特徴とするゴム手袋。
【請求項４】
請求項２又は３において、
上記第２袋部（１１Ｂ）が二つの分袋部（１１Ｂ），（１１Ｂｂ）で構成されていることを特徴とするゴム手袋。
【請求項５】
手指のそれぞれに対応する五つの袋部（１１Ａ）〜（１１Ｅ）を備えたゴム製の手袋本体（１）の両表面（１１ａ），（１１ｂ）の少なくとも一方の表面に板状のスポンジ（２）が固着されるとともに、上記スポンジ（２）は上記各袋部（１１Ａ）〜（１１Ｅ）を横方向に連結する単一構造とされていることを特徴とするゴム手袋。
【請求項６】
請求項２、３、４又は５において、
上記スポンジ（２）には、手指の曲がり方向に沿って延びる溝（３），（４）が設けられていることを特徴とするゴム手袋。
【請求項７】
請求項１又は６において、
上記スポンジ（２）は、上記溝（３），（４）によって区画された部位間においてその材質又は／及び厚さが異なっていることを特徴とするゴム手袋。
【請求項８】
請求項１、２、３、４、５、６又は７において、
上記手袋本体（１）の上記両表面（１１ａ），（１１ｂ）にそれぞれ上記スポンジ（２），（２）が固着されたもので、該各スポンジ（２），（２）間においてその材質又は／及び厚さが異なっていることを特徴とするゴム手袋。
【請求項９】
請求項１、２、３、４、５、６、７又は８において、
上記スポンジ（２）の表面が凹凸形状とされていることを特徴とするゴム手袋。
【請求項１０】
請求項９において、
上記スポンジ（２）の上記凹凸形状が、直線状又は曲線状に延びる厚肉部（２Ａ）と薄肉部（２Ｂ）で構成されていることを特徴とするゴム手袋。
【発明の詳細な説明】
【技術分野】
【０００１】  本願発明は、主として水作業、特に洗車作業とか食器洗い作業のような擦り洗い動作を伴う水作業において使用されるゴム手袋に関するものである。
【背景技術】
【０００２】  例えば、洗車作業とか食器洗い作業のように擦り洗い動作を伴う水仕事においては、スポンジに洗剤を滲み込ませ、これで食器等を擦って汚れ等を落とし、しかる後、これを水洗いして濯ぐのが一般的である。【０００３】  この場合、水と洗剤を使用することから、素手で作業を行うと手荒れが生じ易く、これを防ぐためにゴム手袋を使用することが多い。また、スポンジを使用した擦り洗い作業とスポンジを使用しない濯ぎ作業の間でスポンジの掴み直しを必要とし、作業が面倒であった。【０００４】  このような事情に鑑み、例えば、特許文献１に開示されるように、ゴム手袋の手の平側に手型のスポンジを貼り付けて一体化し、該スポンジに洗剤を含ませて擦り洗いを行うと共に、そのまま濯ぎ作業を行うことができるようにしたものがある。【０００５】
【特許文献１】実開平９−１７２号公報（段落「０００４」、「０００５」、図１、図２）。
【発明の開示】
【発明が解決しようとする課題】
【０００６】  しかし、上掲の従来のゴム手袋では、ゴム手袋の手の平側に手型のスポンジを貼り付けてこれを一体化しただけのものであるため、例えば、スポンジが硬質のものである場合には、該スポンジの剛性によって手指の屈伸性が阻害され、食器等の被洗物を掴みにくく、洗い作業がしづらくなる、という問題が生じ、また逆に、スポンジが軟質のものである場合には、手指の屈伸性は良好となるものの、汚れを落としにくく、スポンジを用いた洗浄効果が十分に得られない、という問題が生じることになる。【０００７】  そこで本願発明は、ゴム手袋本来の屈伸性を維持しつつ、優れた洗浄効果を確保し得るようにしたゴム手袋を提供することを主たる目的としてなされたものである。
【課題を解決するための手段】
【０００８】  本願発明ではかかる課題を解決するための具体的手段として次のような構成を採用している。【０００９】  本願の第１の発明に係るゴム手袋では、ゴム製の手袋本体１の両表面１１ａ，１１ｂの少なくとも一方の表面に板状のスポンジ２を固着するとともに、上記スポンジ２には、手指の曲がり方向に沿って延びる溝３，４を設けたことを特徴としている。【００１０】  本願の第２の発明に係るゴム手袋では、ゴム製の手袋本体１の両表面１１ａ，１１ｂの少なくとも一方の表面に板状のスポンジ２を固着するとともに、上記手袋本体１を、親指に対応する第１袋部１１Ａと、親指以外の他の指に対応する第２袋部１１Ｂを備えた構成としたことを特徴としている。【００１１】  本願の第３の発明に係るゴム手袋では、ゴム製の手袋本体１の両表面１１ａ，１１ｂの少なくとも一方の表面に板状のスポンジ２を固着するとともに、上記手袋本体１を、親指に対応する第１袋部１１Ａを左右両側にそれぞれ備えるとともに、該各第１袋部１１Ａ、１１Ａの間に親指以外の他の指に対応する第２袋部１１Ｂを備えた構成としたことを特徴としている。【００１２】  本願の第４の発明に係るゴム手袋では、上記第２又は第３の発明に係るゴム手袋において、上記第２袋部１１Ｂを二つの分袋部１１Ｂａ，１１Ｂｂで構成したことを特徴としている。【００１３】  本願の第５の発明に係るゴム手袋では、手指のそれぞれに対応する五つの袋部１１Ａ〜１１Ｅを備えたゴム製の手袋本体１の両表面１１ａ，１１ｂの少なくとも一方の表面に板状のポンジ板２を固着するとともに、上記スポンジ２を上記各袋部１１Ａ〜１１Ｅを横方向に連結する単一構造としたことを特徴としている。【００１４】  本願の第６の発明に係るゴム手袋では、上記第２、第３、第４又は第５の発明に係るゴム手袋において、上記スポンジ２に、手指の曲がり方向に沿って延びる溝３，４を設けたことを特徴としている。【００１５】  本願の第７の発明に係るゴム手袋では、上記第１又は第６の発明に係るゴム手袋において、上記スポンジ２を、上記溝３，４によって区画された部位間においてその材質又は／及び厚さを異ならせたことを特徴としている。【００１６】  本願の第８の発明に係るゴム手袋では、上記第１、第２、第３、第４、第５、第６又は第７の発明に係るゴム手袋において、上記手袋本体１の上記両表面１１ａ，１１ｂにそれぞれ上記スポンジ２，２を固着したもので、該各スポンジ２，２間においてその材質又は／及び厚さを異ならせたことを特徴としている。【００１７】  本願の第９の発明に係るゴム手袋では、上記第１、第２、第３、第４、第５、第６、第７又は第８の発明に係るゴム手袋において、上記スポンジ２の表面を凹凸形状としたことを特徴としている。【００１８】  本願の第１０の発明に係るゴム手袋では、上記第９の発明に係るゴム手袋において、上記スポンジ２の上記凹凸形状を、直線状又は曲線状に延びる厚肉部２Ａと薄肉部２Ｂで構成したことを特徴としている。
【発明の効果】
【００１９】  本願発明では次のような効果が得られる。【００２０】  （イ）本願の第１の発明に係るゴム手袋によれば、ゴム製の手袋本体１の両表面１１ａ，１１ｂの少なくとも一方の表面に板状のスポンジ２を固着するとともに、上記スポンジ２には、手指の曲がり方向に沿って延びる溝３，４を設けている。
従って、例え上記スポンジ２が比較的硬質の素材で構成されていても、該スポンジ２はこれを上記溝３，４の部分において容易に屈伸させることができ、このゴム手袋を手に装着した者は上記スポンジ２の剛性による影響を殆ど感じることなく手指を自由に屈伸させることができ、被洗物を上記スポンジ２を介在させたまま確実に把持することができる等、洗い作業の確実性及び容易性が向上し、延いては使い勝手の良いゴム手袋を提供できる。【００２１】  また、上記スポンジ２を比較的硬質の素材で構成することができるので、該スポンジ２による擦り落とし作用が良好となり、洗浄効果の高いゴム手袋を提供することができる。【００２２】  さらに、上記スポンジ２が上記手袋本体１の両表面１１ａ，１１ｂにそれぞれ設けられている場合には、上記ゴム手袋を右手と左手の間で履き替えることで、例えば、スポンジ２が両表面１１ａ，１１ｂの何れか一方にのみ設けられている場合に比して、その使用可能期間が倍増され、極めて経済的である。【００２３】  （ロ）本願の第２の発明に係るゴム手袋によれば、ゴム製の手袋本体１の両表面１１ａ，１１ｂの少なくとも一方の表面に板状のスポンジ２を固着するとともに、上記手袋本体１を、親指に対応する第１袋部１１Ａと、親指以外の他の指に対応する第２袋部１１Ｂを備えた構成としている。【００２４】  従って、例えば、従来のようにスポンジを手型に形成した場合に比して、該スポンジ２の表面積を拡大することができ、それだけ高い擦り落とし作用が確保され、洗浄効果の高いゴム手袋を提供することができる。【００２５】  また、上記手袋本体１を、親指に対応する第１袋部１１Ａと、親指以外の他の指に対応する第２袋部１１Ｂを備えた構成としているので、上記スポンジ２が上記手袋本体１の両表面１１ａ，１１ｂにそれぞれ設けられている場合には、左右両手間で履き替えることで、上記各スポンジ２を右手用及び左手用としてそれぞれ用いることができ、使い勝手に優れたゴム手袋を提供できる。【００２６】  さらに、上記スポンジ２が上記手袋本体１の両表面１１ａ，１１ｂにそれぞれ設けられている場合には、上記ゴム手袋を左右両手間で履き替えることで、例えば、スポンジ２が両表面１１ａ，１１ｂの何れか一方にのみ設けられている場合に比して、その使用可能期間が倍増され、極めて経済的である。【００２７】  （ハ）本願の第３の発明に係るゴム手袋によれば、ゴム製の手袋本体１の両表面１１ａ，１１ｂの少なくとも一方の表面に板状のスポンジ２を固着するとともに、上記手袋本体１を、親指に対応する第１袋部１１Ａを左右両側にそれぞれ備えるとともに、該各第１袋部１１Ａ、１１Ａの間に親指以外の他の指に対応する第２袋部１１Ｂを備えた構成としている。【００２８】  従って、上記手袋本体１が左右両側の上記第１袋部１１Ａとこれらの間に位置する第２袋部１１Ｂを備えているので、例えば、従来のようにスポンジを手型に形成した場合に比して、該スポンジ２の表面積を拡大することができ、それだけ高い擦り落とし作用が確保され、洗浄効果の高いゴム手袋を提供することができる。【００２９】  また、上記手袋本体１が左右両側の上記第１袋部１１Ａとこれらの間に位置する第２袋部１１Ｂを備えているので、上記スポンジ２が上記手袋本体１の両表面１１ａ，１１ｂにそれぞれ設けられている場合には、該表面１１ａ及び同１１ｂを、共に左右両手用として用いることができ、使い勝手に優れたゴム手袋を提供できる。【００３０】  さらに、上記スポンジ２が上記手袋本体１の両表面１１ａ，１１ｂにそれぞれ設けられている場合には、上記ゴム手袋を左右両手間で履き替えることで、例えば、スポンジ２が両表面１１ａ，１１ｂの何れか一方にのみ設けられている場合に比して、その使用可能期間が倍増され、極めて経済的である。【００３１】  （ニ）本願の第４の発明に係るゴム手袋によれば、上記（ロ）又は（ハ）に記載の効果に加えて、次のような特有の効果が得られる。即ち、この発明では、上記第２袋部１１Ｂを二つの分袋部１１Ｂａ，１１Ｂｂで構成しているので、例えば、上記第２又は第３の発明に係るゴム手袋のような単一構造の第２袋部１１Ｂを備えたものでは該第２袋部１１Ｂの形状（大きさ）の制約から使用できないような場合でも、上記分袋部１１Ｂａ，１１Ｂｂを選択して使用することでこれに対処することができ、その使用上の利便性が一段と向上する。【００３２】  （ホ）本願の第５の発明に係るゴム手袋によれば、手指のそれぞれに対応する五つの袋部１１Ａ〜１１Ｅを備えたゴム製の手袋本体１の両表面１１ａ，１１ｂの少なくとも一方の表面に板状のスポンジ２を固着するとともに、上記スポンジ２が上記各袋部１１Ａ〜１１Ｅを横方向に連結する単一構造とされているので、例えば、従来のようにスポンジを手型に形成した場合に比して、該スポンジ２の表面積を拡大することができ、それだけ高い擦り落とし作用が確保され、洗浄効果の高いゴム手袋を提供することができる。【００３３】  また、上記スポンジ２が上記手袋本体１の両表面１１ａ，１１ｂにそれぞれ設けられている場合には、上記ゴム手袋を左右両手間で履き替えることで、例えば、スポンジ２が両表面１１ａ，１１ｂの何れか一方にのみ設けられている場合に比して、その使用可能期間が倍増され、極めて経済的である。【００３４】  さらに、必要に応じて上記スポンジ２を上記袋部１１Ａ〜１１Ｅ間で切り離すことで、上記ゴム手袋の指構造を、二本指構造〜五本指構造の間で任意に設定可能であり、上記ゴム手袋の使用者は、自己の好みとか、作業内容等の条件に最適なゴム手袋を得ることができる。【００３５】  （ヘ）本願の第６の発明に係るゴム手袋によれば、上記（ロ）、（ハ）、（ニ）又は（ホ）に記載の効果に加えて次のような特有の効果が得られる。即ち、この発明では、上記スポンジ２に、手指の曲がり方向に沿って延びる溝３，４を設けているので、例え上記スポンジ２が比較的硬質の素材で構成されていても、該スポンジ２はこれを上記溝３，４の部分において容易に屈伸させることができ、このゴム手袋を手に装着した者は上記スポンジ２の剛性による影響を殆ど感じることなく手指を自由に屈伸させることができ、被洗物を上記スポンジ２を介在させたまま確実に把持することができる等、洗い作業の確実性及び容易性が向上し、延いては使い勝手の良いゴム手袋を提供できる。【００３６】  また、上記スポンジ２を比較的硬質の素材で構成することができるので、該スポン���２による擦り落とし作用が良好となり、洗浄効果の高いゴム手袋を提供することができる。【００３７】  （ト）本願の第７の発明に係るゴム手袋によれば、上記（イ）又は（ヘ）に記載の効果に加えて次のような特有の効果が得られる。即ち、この発明では、上記スポンジ２を、上記溝３，４によって区画された部位間においてその材質又は／及び厚さを異ならせているので、例えば、材質を異ならせた場合には、上記スポンジ２の上記部位毎に擦り落とし作用の異なるゴム手袋が得られ、また、厚さを異ならせた場合には、上記スポンジ２の上記部位毎に洗剤の含滲量（即ち、汚れ落し効果）の異なるゴム手袋が得られる等、上記ゴム手袋の構造の多様化が図られ、延いては使用者側における使用上の利便性向上が期待できる。【００３８】  （チ）本願の第８の発明に係るゴム手袋によれば、上記（イ）、（ロ）、（ハ）、（ニ）、（ホ）、（ヘ）又は（ト）に記載の効果に加えて次のような特有の効果が得られる。即ち、この発明では、上記手袋本体１の上記両表面１１ａ，１１ｂにそれぞれ上記スポンジ２，２を固着したもので、該各スポンジ２，２間においてその材質又は／及び厚さを異ならせているので、例えば、材質を異ならせた場合には、上記両表面１１ａ，１１ｂ間で上記スポンジ２の擦り落とし作用が異なるゴム手袋が得られ、また、厚さを異ならせた場合には、上記両表面１１ａ，１１ｂ間で汚れ落し効果の異なるゴム手袋が得られる等、上記ゴム手袋の構造の多様化が図られ、延いては使用者側における使用上の利便性向上が期待できる。【００３９】  （リ）本願の第９の発明に係るゴム手袋によれば、上記（イ）、（ロ）、（ハ）、（ニ）、（ホ）、（ヘ）、（ト）又は（チ）に記載の効果に加えて次のような特有の効果が得られる。即ち、この発明では、上記スポンジ２の表面を凹凸形状としているので、上記スポンジ２はこれを被洗物に擦り付けて擦り洗いする場合、該スポンジ２による擦り落とし作用の他に、上記凹凸形状のエッジ部分において掻き落とし作用が生じることとなり、これら掻き落とし作用と擦り落とし作用との相乗効果によって、より高い洗浄効果をもつゴム手袋が得られることになる。【００４０】  （ヌ）本願の第１０の発明に係るゴム手袋によれば、上記（リ）に記載の効果に加えて次のような特有の効果が得られる。即ち、この発明では、上記スポンジ２の上記凹凸形状を、直線状又は曲線状に延びる厚肉部２Ａと薄肉部２Ｂで構成しているので、上記凹凸形状のエッジ部分における掻き落とし作用が上記厚肉部２Ａと薄肉部２Ｂの境部で且つ該厚肉部２Ａと薄肉部２Ｂの延設方向において連続的に得られ、その結果、より一層高い洗浄効果をもつゴム手袋が得られる。
【発明を実施するための最良の形態】
【００４１】  以下、本願発明を幾つかの好適な実施形態に基づいて具体的に説明する。【００４２】  「第１の実施形態」
図１〜図３には、本願発明の第１の実施形態に係るゴム手袋Ｚ１を示している。このゴム手袋Ｚ１は、次述の手袋本体１の両表面１１ａ、１１ｂに次述のスポンジ２を固着した構造を基本としている。【００４３】  上記手袋本体１は、ゴム（ラッテクス）製の袋状体であって、手首から指先にかけての部分を覆う手覆部１１と手首から腕にかけての部分を覆う腕覆部１２を備えている。【００４４】  上記手覆部１１は、親指に対応するような形状及び形成位置をもつ第１袋部１１Ａと、人差し指と中指と薬指及び小指の四本の指を一体としてこれに対応する幅広の第２袋部１１Ｂを備えた二本指構造とされている。【００４５】  上記腕覆部１２は、上記手覆部１１の端部に連続する筒状形態を有するとともに、手の差し入れ口となる開口端１２ａには、ここからの水の浸入を防止すべく、該開口端１２ａをゴム材５で弾性的に絞っている。またこの開口端１２ａの近傍位置には、保管用の吊紐６が設けられているが、場合よっては、上記吊紐６に代えて、又は該吊紐６とともに、マグネット７を取り付けて保管上の利便性を高めることも可能である。【００４６】  一方、上記スポンジ２は、上述のように、上記手袋本体１の上記手覆部１１の両表面１１ａ、１１ｂにそれぞれ一枚ずつ固着されるものであって、約２ｃｍ〜５ｃｍ程度の厚さの板状形態をもち、上記手覆部１１の平面形状に略合致する形状寸法に設定され、上記手覆部１１の両表面１１ａ、１１ｂにそれぞれ接着により固着されている。【００４７】  そして、このスポンジ２の表面のうち、上記手覆部１１の第１袋部１１Ａに対応する部分で且つ親指の第１関節付近に対応する部分には、該第１関節での屈伸線（図示省略）に沿うような弧状の溝３が形成されている。また、上記手覆部１１の第２袋部１１Ｂに対応する部分で且つ人差し指と中指と薬指及び小指の四本の指のそれぞれにおける第１関節と第２関節の中間付近を手幅方向に連続させてなる屈伸線（図示省略）に沿うような弧状の溝４が形成されている。【００４８】  ここで、この実施形態では、図３に示すように、上記溝３及び溝４（図３では、溝４のみ図示し、溝３の図示は省略）は、所定深さの底付き溝状に形成しているが、係る構造に限定されるものではなく、例えば、同図において鎖線図示するように、該溝３，４の壁面線を上記スポンジ２の裏面側（即ち、上記手覆部１１の表面）まで延長させて、上記スポンジ２を上記溝３及び溝４によって区画された三つの部分に分割させた構造とすることも可能である（図６を参照）。【００４９】  尚、上記スポンジ２の材質と厚さ寸法は、ゴム手袋Ｚ１の用途に応じて適宜選択設定可能である。例えば、上記手覆部１１の第１面１１ａに固着されるスポンジ２はこれを軟質材で且つ比較的厚く形成し、第２面１１ｂに固着されるスポンジ２はこれを硬質材で且つ比較的に薄く形成することもできる。また、上記スポンジ２が上記各溝３，４において分割された構造とされている場合には、この分割された部分毎に、該スポンジ２の材質と厚さを変えることも可能である。上記スポンジ２の材質（主として、硬さ）は、該スポンジ２で被洗物を擦り洗いする場合における擦り落とし作用の差として現れる。また、上記スポンジ２の厚さは、例え���、これに含滲される洗剤の含滲量（即ち、汚れ落し効果）の差とか、耐久性の差として現れる。【００５０】  さらに、この実施形態では、上記スポンジ２を上記手覆部１１の両表面１１ａ、１１ｂにそれぞれ設けているが、係る構成に限定されるものではなく、他の実施形態では、該スポンジ２を上記両表面１１ａ、１１ｂの何れか一方にのみ設けることも可能である。上記スポンジ２を両表面１１ａ、１１ｂにそれぞれ設けた場合には、上記ゴム手袋Ｚ１を右手と左手の間で履き替えることで、二つのスポンジ２を選択使用することができるので、上述のようなスポンジ２の材質の選択と組み合わせることで、上記ゴム手袋Ｚ１の使用特性の多様化が図れる。【００５１】  以上のように構成された上記ゴム手袋Ｚ１においては、次のような特有の効果が得られる。即ち、このゴム手袋Ｚ１では、上記手袋本体１の両表面１１ａ，１１ｂに上記スポンジ２を固着するとともに、該スポンジ２に手指の曲がり方向に沿って延びる溝３，４を設けているので、例え上記スポンジ２が比較的硬質の素材で構成されていても、該スポンジ２はこれを上記溝３，４の部分において容易に屈伸させることができ、このゴム手袋Ｚ１を手に装着した者は、上記スポンジ２の剛性による影響を殆ど感じることなく手指を自由に屈伸させることができ、被洗物を上記スポンジ２を介在させたまま確実に把持することができる等、洗い作業の確実性及び容易性が向上し、延いては使い勝手の良いゴム手袋Ｚ１を提供できる。【００５２】  また、上記スポンジ２を比較的硬質の素材で構成することができるので、該スポンジ２による擦り落とし作用が良好となり、洗浄効果の高いゴム手袋を提供することができる。【００５３】  さらに、上記スポンジ２が上記手袋本体１の両表面１１ａ，１１ｂにそれぞれ設けられているので、上記ゴム手袋Ｚ１を右手と左手の間で履き替えることで、例えば、スポンジ２が両表面１１ａ，１１ｂの何れか一方にのみ設けられている場合に比して、その使用可能期間が倍増され、極めて経済的であるとともに、上記各スポンジ２を右手用及び左手用としてそれぞれ用いることができ、使い勝手に優れたゴム手袋を提供できる。【００５４】  「第２の実施形態」
図４には、本願発明の第２の実施形態に係るゴム手袋Ｚ２を示している。このゴム手袋Ｚ２は、上記第１の実施形態に係る上記ゴム手袋Ｚ１とその基本構成を同じにするものであって、これと異なる点は、上記スポンジ２の構造である。従って、図４には、上記ゴム手袋Ｚ１における部材と同じ部材には同一の符号を付して第１の実施形態の該当説明を援用することとし、ここでは上記相違点を中心に説明する。【００５５】  上記スポンジ２は、上記手覆部１１の両表面１１ａ，１１ｂにそれぞれ設けられているが、この場合、この実施形態においては、該スポンジ２の表面に、所定間隔をもって略平行に延びる複数の溝８を、その溝方向がゴム手袋Ｚ２における手の進入方向に対して所定の角度（この実施形態では４５度程度に設定している）をもって傾斜するように形成している。この溝８を設けることで、上記スポンジ２の表面は、該溝８に対応する薄肉部２Ｂと、隣り合う溝８，８間に位置する厚肉部２Ａが交互に存在する凹凸形状を呈する。【００５６】  このように上記スポンジ２の表面に上記溝８を形成すると、上記ゴム手袋Ｚ２を手に履き、上記スポンジ２で食器等の被洗物を擦り洗いする場合、該スポンジ２を擦り付けることによる擦り落とし作用の他に、上記凹凸形状のエッジ部分において掻き落とし作用が生じることとなり、これら掻き落とし作用と擦り落とし作用との相乗効果によって、より高い洗浄効果をもつゴム手袋Ｚ２が得られることになる。【００５７】  さらに、この場合、上記スポンジ２の表面の凹凸形状を、上記厚肉部２Ａと薄肉部２Ｂで構成しているので、上記凹凸形状のエッジ部分における掻き落とし作用が上記厚肉部２Ａと薄肉部２Ｂの境部で且つ該厚肉部２Ａと薄肉部２Ｂの延設方向（即ち、上記溝８の延設方向）において連続的に得られ、その結果、より一層高い洗浄効果をもつゴム手袋Ｚ２が得られることになる。【００５８】  尚、上記以外の効果は、上記第１の実施形態の場合と同様であるのでここでの説明は省略する。【００５９】  また、この実施形態では、上記溝８を直線状に形成しているが、これに限定されるものではなく、例えば、これを曲線状に形成することもできる。また、上記溝８の溝幅、溝深さ、溝ピッチ等は、上記ゴム手袋Ｚ２の使用条件等に応じて適宜変更設定し得ることは勿論である。【００６０】  「第３の実施形態」
図５には、本願発明の第３の実施形態に係るゴム手袋Ｚ３を示している。このゴム手袋Ｚ３は、上記第１の実施形態に係る上記ゴム手袋Ｚ１の変形例として位置付けられるものであって、該ゴム手袋Ｚ１とその基本構成を同じにし、これと異なる点は、上記手袋本体１の手覆部１１及びこれに固着される上記スポンジ２の形状である。従って、図５には、上記ゴム手袋Ｚ１における部材と同じ部材には同一の符号を付して第１の実施形態の該当説明を援用することとし、ここでは上記相違点を中心に説明をする。【００６１】  即ち、上記手袋本体１の上記手覆部１１においては、その幅方向の中央に位置する第２袋部１１Ｂの左右両側に、親指に対応する形状等をもつ第１袋部１１Ａをそれぞれ形成した三本指構造としている。この手覆部１１の形状に対応して、上記スポンジ２も三本指構造とされている。尚、この実施形態では、上記スポンジ２を上記手覆部１１の両表面１１ａ，１１ｂにそれぞれ設けている。【００６２】  このような構成とすることで、上記手覆部１１の上記表面１１ａ及び同１１ｂを、共に左右両手用として用いることができ（換言すれば、同一面を左手用手袋と右手用手袋の双方として使用することができ、）、使い勝手に優れたゴム手袋を提供できる。【００６３】  さらに、この場合、上記スポンジ２が上記手袋本体１の両表面１１ａ，１１ｂにそれぞれ設けられているので、上記ゴム手袋Ｚ３を左右両手間で履き替えることで、例えば、スポンジ２が両表面１１ａ，１１ｂの何れか一方にのみ設けられている場合に比して、その使用可能期間が倍増され、極めて経済的である。【００６４】  尚、上記以外の効果は、上記第１の実施形態の場合と同様であるのでここでの説明は省略する。【００６５】「第４の実施形態」
図６には、本願発明の第４の実施形態に係るゴム手袋Ｚ４を示している。このゴム手袋Ｚ４は、上記第３の実施形態に係る上記ゴム手袋Ｚ３の発展例として位置付けられるものであって、該ゴム手袋Ｚ３（延いては、第１の実施形態のゴム手袋Ｚ１）とその基本構成を同じにし、これと異なる点は、上記手袋本体１の手覆部１１及びこれに固着される上記スポンジ２の形状である。従って、図６には、上記ゴム手袋Ｚ１における部材と同じ部材には同一の符号を付して第１の実施形態の該当説明を援用することとし、ここでは上記相違点を中心に説明をする。【００６６】  即ち、上記第３の実施形態に係るゴム手袋Ｚ３では、上記手覆部１１が左右二つの第１袋部１１Ａとこれらの間に位置する第２袋部１１Ｂを備えた三本指構造とされていたのに対して、この実施形態のゴム手袋Ｚ４では、上記第２袋部１１Ｂをさらに左右二つの分袋部１１Ｂａ，１１Ｂｂに分けた四本指構造としている。この場合、上記各分袋部１１Ｂａ，１１Ｂｂの先端部は、細く尖った形状に設定されている。【００６７】  このように上記第２袋部１１Ｂを二つの分袋部１１Ｂａ，１１Ｂｂで構成することで、例えば、上記第３の実施形態に係るゴム手袋Ｚ３のような単一構造の第２袋部１１Ｂを備えたものでは該第２袋部１１Ｂの形状（大きさ）の制約から使用できないような場合でも、上記分袋部１１Ｂａ，１１Ｂｂを選択して使用することでこれに容易に対処することができ、その使用上の利便性が一段と向上する。しかも、上記分袋部１１Ｂａ，１１Ｂｂの先端部を細く尖った形状とすることで、より細かい部分の洗い作業にも適用でき、使用上の利便性の更なる向上が期待できる。【００６８】  また、この実施形態においては、上記スポンジ２を、上記左右二つの第１袋部１１Ａとこれらの間に位置する左右二つの分袋部１１Ｂａ，１１Ｂｂのそれぞれに対応するように分断し、この分断部分を上記溝３及び同４としている。従って、この溝３及び同４の存在によって、上記ゴム手袋Ｚ４は指の屈伸動作に容易に追従して屈伸可能であり、その使用勝手が良好であるとともに、上記スポンジ２の材質及び厚さを、上記溝３及び同４による分断部分毎に異ならせて設定することで、上記ゴム手袋Ｚ４の多様化を図ることができる。【００６９】  尚、上記以外の効果は、上記第１の実施形態の場合と同様であるのでここでの説明は省略する。【００７０】  「第５の実施形態」
図７には、本願発明の第５の実施形態に係るゴム手袋Ｚ５を示している。このゴム手袋Ｚ５は、手袋本体１の手覆部１１の両表面１１ａ，１１ｂにそれぞれ上記スポンジ２を固着して構成されるという点では上記各実施形態のゴム手袋Ｚ１〜Ｚ４と同じであるが、上記手覆部１１の形状においては大きく相違している。【００７１】  即ち、この実施形態のゴム手袋Ｚ５においては、上記手袋本体１の上記手覆部１１の形状を、親指から小指までの各指のそれぞれに対応した五本の袋部１１Ａ〜１１Ｅをもつ通常の手袋の形状に設定している。【００７２】  一方、上記スポンジ２は、これを上記手覆部１１の形状に対応させるのではなく、上記各袋部１１Ａ〜１１Ｅのうち、親指に対応する第１袋部１１Ａを除く他の袋部１１Ｂ〜１１Ｅに対応する部分においては、これら各袋部１１Ｂ〜１１Ｅを分断させることなく、一体に覆う構成としている。【００７３】  このような構成のゴム手袋Ｚ５においては、例えば、従来のようにスポンジを手型に形成した場合に比して、該スポンジ２の表面積を拡大することができ、それだけ高い擦り落とし作用が確保され、洗浄効果の高いゴム手袋Ｚ５を提供することができる。【００７４】  また、上記スポンジ２が上記手袋本体１の両表面１１ａ，１１ｂにそれぞれ設けられているので、上記ゴム手袋Ｚ５を左右両手間で履き替えることで、例えば、スポンジ２が両表面１１ａ，１１ｂの何れか一方にのみ設けられている場合に比して、その使用可能期間が倍増され、極めて経済的である。【００７５】  さらに、必要に応じて上記スポンジ２を上記袋部１１Ｂ〜１１Ｅ間で切り離すことで、上記ゴム手袋の指構造を、二本指構造〜五本指構造の間で任意に設定可能であり、上記ゴム手袋の使用者は、自己の好みとか、作業内容等の条件に最適なゴム手袋Ｚ５を得ることができる。【００７６】  尚、上記以外の効果は、上記第１の実施形態の場合と同様であるのでここでの説明は省略する。
【図面の簡単な説明】
【００７７】
【図１】  本願発明の第１の実施形態に係るゴム手袋の平面図である。
【図２】  図１のＩＩ−ＩＩ断面図である。
【図３】  図１のＩＩＩ−ＩＩＩ断面図である。
【図４】  本願発明の第２の実施形態に係るゴム手袋の平面図である。
【図５】  本願発明の第３の実施形態に係るゴム手袋の平面図である。
【図６】  本願発明の第４の実施形態に係るゴム手袋の平面図である。
【図７】  本願発明の第５の実施形態に係るゴム手袋の平面図である。
【符号の説明】
【００７８】  １・・・・・・手袋本体
２・・・・・・スポンジ
３・・・・・・溝
４・・・・・・溝
５・・・・・・ゴム材
６・・・・・・吊紐
７・・・・・・マグネット
８・・・・・・溝
１１・・・・・手覆部
１２・・・・・腕覆部
Ｚ１〜Ｚ５・・ゴム手袋
【図１】
2005281949.tif 000003
【図２】
2005281949.tif 000004
【図３】
2005281949.tif 000005
【図４】
2005281949.tif 000006
【図５】
2005281949.tif 000007
【図６】
2005281949.tif 000008
【図７】
2005281949.tif 000009